(57)【要約】      （修正有）【課題】一定の重量を保持させて、マット本体自体を移動し難く構成するとともに、排尿位置を小便器からより近い位置とすることができるトイレマットを提供する。【解決手段】周縁を立設して内部に防臭シート５を敷設する載置面が形成されるマット本体１と、載置面に敷設される防臭シートを備えるトイレマット１０であって、マット本体は鋳物成型されると共に、マット本体の前部には、便器の前端曲面に沿った湾曲面３ｄを形成し、マット本体の幅は使用者の両足の間隔よりも幅狭に形成した。マット本体の裏面に、脚部Ａを設けてマット本体をトイレ床面から所定高さに持ち上げるのが好ましい。また防臭シートは、マット本体の周縁高さより高く突出するタブ５Ｃを備えているのが好ましい。【選択図】図１
0003191221.tif 000002
【実用新案登録請求の範囲】
【請求項１】
周縁を立設して内部に防臭シートを敷設する載置面が形成されるマット本体と、前記載置面に敷設される防臭シートを備えるトイレマットであって、
前記マット本体は鋳物成型されると共に、前記マット本体の前部には、便器の前端曲面に沿った湾曲面を形成し、前記マット本体の幅は使用者の両足の間隔よりも幅狭に形成されてなることを特徴とするトイレマット。
【請求項２】
前記マット本体の裏面は、脚部を設けて前記マット本体をトイレ床面から所定高さに持ち上げてなることを特徴とする請求項１に記載のトイレマット。
【請求項３】
前記防臭シートは、前記マット本体の周縁高さより高く突出するタブを備えてなることを特徴とする請求項１又は２に記載のトイレマット。
【請求項４】
前記防臭シートの裏面に、防水性合成樹脂シートを配してなることを特徴とする請求項１乃至３の何れか一に記載のトイレマット。
【考案の詳細な説明】
【技術分野】
【０００１】
本考案は、トイレの前面に敷設するマットに関するものであり、例えば、公共施設や会社、店舗等のトイレにおいて、特に男性用の小便器及び洋式トイレの前面に敷設して、小便をする際に便器外に小便が飛散するのを吸収することのできるトイレマットに関するものである。
【背景技術】
【０００２】
従来、トイレマットとしては、例えば、特開平１１−２８５４５８号公報（特許文献１）に記載のものが公知である。前記公報に記載のトイレマットは、トイレの床面に敷設するトイレマットや台所のシンク周りに敷設するキッチンマットなどにおいて、周囲に液体が飛散した際の吸液効果と容易に取り替えが可能で衛生的に使用できるように構成されるものであり、合成樹脂やゴム質体などからなる防水性板状体を適宜の大きさと形状とし、その周縁にガイドを起立して形成されるマット本体に対して、ガイドで区分されるマット本体の表面に液体吸収シートを置敷きすることにより、容易に敷設したり固定することができ、敷物として使用者の踏圧による位置ズレを防ぎ、衛生的に継続使用ができるように構成されている。
【先行技術文献】
【特許文献】
【０００３】
【特許文献１】特開平１１−２８５４５８号公報
【考案の概要】
【考案が解決しようとする課題】
【０００４】
しかしながら、前記トイレマットにおいては、マット本体自体は、合成樹脂やゴム質体などで構成されているため比較的軽量であり、裏面に防滑加工を施されていても、足が接触する等の動作によって、当初位置から移動してしまうことがある。また、手前側にステップを切り欠かれている構成からなるため、排尿位置が小便器から所定間隔離れてしまい、小便が小便器外に飛散し易くなる。
【０００５】
本考案は、かかる点に鑑みてなされたものであり、その目的とするところは、トイレマットのマット本体本体を鋳物で成型することにより、一定の重量を保持させて、マット本体本体自体を移動し難く構成するとともに、前記マット本体本体の幅を使用者が跨げるように構成して、排尿位置を小便器からより近い位置とすることができるトイレマットを提供することにある。
【０００６】
また、本考案の他の目的は、マット本体に敷設されるシートを防臭シートとして、飛散した小便の臭気を消臭することのできるシートを備えるトイレマットを提供することにある。
【課題を解決するための手段】
【０００７】
請求項１に記載のトイレマットは、周縁を立設して内部に防臭シートを敷設する載置面が形成されるマット本体と、前記載置面に敷設される防臭シートを備えるトイレマットであって、前記マット本体は鋳物成型されると共に、前記マット本体の前部には、便器の前端曲面に沿った湾曲面を形成し、前記マット本体の幅は使用者の両足の間隔よりも幅狭に形成されてなることを特徴とする。
【０００８】
請求項１に記載のトイレマットにあっては、鋳物により成型されているので、合成樹脂やゴム等で成型するよりも、自重が重く成型することができるので、前記便器Ｂ前に載置しても、その自重により移動し難くなり、使用者の脚Ｆ等が当たっても、載置位置から容易にずれることはない。加えて、前記マット本体には前記防臭シートを敷設しているので、飛散した尿を効果的に吸収することができると共に、尿の臭いを効果的に吸収することができることとなる。さらに、前記マット本体の幅、すなわち、後部区画壁の長さは使用者の両足の間隔よりも幅狭に形成しているので、使用者は、前記トレイマットを跨いで放尿するとこができ、より前記便器に近づくことができ、前記便器外への尿の飛散を防止することができることとなる。
【０００９】
請求項２に記載のトイレマットは、請求項１に記載のトイレマットにおいて、前記マット本体の裏面は、脚部を設けて前記マット本体をトイレ床面から所定高さに持ち上げてなることを特徴とする。
【００１０】
請求項２に記載のトイレマットにあっては、前記トイレマットは、前記マット本体をトイレ床面から所定高さに持ち上げているので、前記便器に水を掛けて清掃する場合には、前記マット本体は、掛け流される水を直接浴びることが少なくなり、防錆効果を高めることができる。
【００１１】
請求項３に記載のトイレマットは、請求項１に記載のトイレマットにおいて、前記防臭シートは、前記マット本体の周縁高さより高く突出するタブを備えてなることを特徴とする。
【００１２】
請求項３に記載のトイレマットにあっては、前記防臭シートには、前記マット本体の周縁高さよりも高い前記タブを設けているので、前記防臭シートを、前記マット本体から取り外す場合は、前記タブを摘んで取り出すことができ、前記防臭シートを前記マット本体から容易に取り外すことができる。
【００１３】
請求項４に記載のトイレマットは、請求項１乃至３の何れか一に記載のトイレマットにおいて、前記防臭シートの裏面に、合成樹脂シートを配してなることを特徴とする。
【００１４】
請求項４に記載のトイレマットにあっては、前記防臭シートの裏面に合成樹脂シートを配しているので、前記マット本体内に飛散した小便は、前記マット本体の表面に直接触れることはなく、前記防臭シート上に残置され、その後経時により蒸発されるため、前記マット本体の防錆効果を高めることができる。
【考案の効果】
【００１５】
請求項１に記載のトイレマットによれば、周縁を立設して内部に防臭シートを敷設する載置面が形成されるマット本体と、前記載置面に敷設される防臭シートを備えるトイレマットであって、前記マット本体は鋳物成型されると共に、前記マット本体の前部には、便器の前端曲面に沿った湾曲面を形成し、前記マット本体の幅は使用者の両足の間隔よりも幅狭に形成しているので、合成樹脂やゴム等で成型するよりも、自重が重く成型することができるので、前記便器前に載置しても、その自重により移動し難くなり、使用者の脚Ｆ等が当たっても、載置位置から容易にずれることはない。加えて、前記マット本体には前記防臭シートを敷設しているので、飛散した尿を効果的に吸収することができると共に、尿の臭いを効果的に吸収することができることとなる。さらに、前記マット本体の幅、すなわち、後部区画壁の長さは使用者の両足の間隔よりも幅狭に形成しているので、使用者は、前記トレイマットを跨いで放尿するとこができ、より前記便器に近づくことができ、前記便器外への尿の飛散を防止することができることとなる。
【００１６】
請求項２に記載のトイレマットは、請求項１に記載のトイレマットにおいて、前記マット本体の裏面は、脚部を設けて前記マット本体をトイレ床面から所定高さに持ち上げているので、前記便器に水を掛けて清掃する場合には、前記マット本体は、掛け流される水を直接浴びることが少なくなり、防錆効果を高めることができる。
【００１７】
請求項３に記載のトイレマットによれば、請求項１又は２に記載のトイレマットにおいて、前記防臭シートは、前記マット本体の周縁高さより高く突出するタブを備えているので、前記防臭シートを、前記マット本体から取り外す場合は、前記タブを摘んで取り出すことができ、前記防臭シートを前記マット本体から容易に取り外すことができる。
【００１８】
請求項４に記載のトイレマットによれば、請求項１乃至３の何れか一に記載のトイレマットにおいて、前記防臭シートの裏面に、合成樹脂シートを配しているので、前記マット本体内に飛散した小便は、前記マット本体の表面に直接触れることはなく、前記防臭シート上に残置され、その後経時により蒸発されるため、前記マット本体の防錆効果を高めることができる。
【図面の簡単な説明】
【００１９】
【図１】本考案に係るトイレマットを示す斜視図であり、（ａ）は表面斜視図であり、（ｂ）は裏面斜視図である。
【図２】本考案に係るトイレマットのマット本体本体を示す斜視図であり、（ａ）は表面斜視図であり、（ｂ）は裏面斜視図である。
【図３】（ａ）は正面図であり、（ｂ）は背面図である。
【図４】（ａ）は側面図であり、（ｂ）は平面図であり、（ｃ）は底面図である。
【図５】Ａ−Ａ線断面図である。
【図６】Ｂ−Ｂ線断面図である。
【図７】本考案の塗装工程を示す斜視図である。
【図８】。
【図９】使用状態を示す斜視図である。
【図１０】防臭シートを取り外した状態の使用状態斜視図ある。
【考案を実施するための最良の形態】
【００２０】
以下、本考案に係るトイレマットを実施するための最良の実施形態について、図面に従って説明する。
【００２１】
図１は本考案に係るトイレマットを示す斜視図であり、（ａ）は表面斜視図であり、（ｂ）は裏面斜視図である。また、図２は本考案に係るトイレマットのマット本体本体を示す斜視図であり、（ａ）は表面斜視図であり、（ｂ）は裏面斜視図であり、図３（ａ）は正面図であり、（ｂ）は背面図であり、図４（ａ）は側面図であり、（ｂ）は平面図であり、（ｃ）は底面図である。また、図５は、図３（ａ）のＡ−Ａ線断面図であり、図６は、図３（ａ）のＢ−Ｂ線断面図である。
【００２２】
図１乃至図６において、１はトイレマットのマット本体であり、鋳物で成型した上に、所定の防錆防塩処理をしたうえで、塗装処理が行われる（図６参照）。前記マット本体１は、略正方形状の基台２の前部に、便器Ｂ（図９及び図１０参照）の前部の突出曲面に沿うような曲面の湾曲部を設けており、前記基台２の周縁には区画壁３を立設している。
【００２３】
前記区画壁３において、後部の区画壁３ａは、前部の湾曲した区画壁３ｄよりも低く設けられており、そのため、側部の区画壁３ｂ，３ｂは前部から後部に架けて低くなるような傾斜状に成型されている。また、前部の湾曲した区画壁３ｄの両側には前記後部の区画壁３ａと並行状の区画壁３ｃ，３ｃが立設されている。
【００２４】
また、前記マット本体１の裏面には、円柱状のゴム製の脚部Ａを固定位置決めするための浅い嵌装用孔２ａを四隅に設けており、前記嵌装用孔２ａに脚部Ａを嵌めて固定するのである。
【００２５】
図７は、塗装工程を示す斜視図である。
【００２６】
図７に示すように、前記区画壁３ｃ，３ｃの直下には、それぞれ、前記マット本体２を塗装作業時に吊すための丸孔４，４が穿設されている。そして、塗装作業時においては、前記マット本体２の前記丸孔４，４に、吊しフック４０を挿入して、前記マット本体２を吊した状態で塗装を行うのである、。
【００２７】
以上のように成型された前記マット本体１には、防臭シート５を載置するのである。
【００２８】
図８（ａ）は防臭シートの斜視図であり、（ｂ）は要部拡大断面図である。
【００２９】
図８（ａ）及び（ｂ）に示すように、前記防臭シート５は、活性炭から形成された三次元立体シート５ａ（以下、「活性炭シート」という）と、前記活性炭シート５ａの裏面に貼付された防水性の合成樹脂シート５ｂとから形成されている。
【００３０】
図９は、使用状態を示す斜視図であり、図１０は、防臭シート５を取り外した状態の使用状態斜視図ある。
【００３１】
図９及び図１０に示すように、前記マット本体１の基台２上には、前記基台２と略同形状に形成された前記防臭シート５が載置されている。前記防臭シート５の前部の湾曲面には前記区画壁３ｄよりも高く設定されるタブ５ｃ（図８参照）が突設されている。
【００３２】
そして、図９に示すように、前記マット本体１の幅、すなわち、前記区画壁３ａの長さは使用者の両足Ｆ，Ｆの間隔よりも幅狭に形成しているので、使用者は、前記トレイマット１０を跨いで放尿するとこができるので、より前記便器Ｂに近づくことができ、前記便器Ｂ外への尿の飛散を防止することができることとなる。
【００３３】
また、前記マット本体１は鋳物により成型されているので、合成樹脂やゴム等で成型するよりも、自重が重く成型することができるので、前記便器Ｂ前に載置しても、その自重により移動し難くなり、使用者の脚Ｆ等が当たっても、載置位置から容易にずれることはない。
【００３４】
さらに、前記前記マット本体１の裏面には、前記脚部Ａを設けて前記マット本体１をトイレ床面から所定高さに持ち上げているので、前記便器Ｂに水を掛けて清掃する場合には、前記マット本体１には、掛け流される水が直接浴びることが少なくなり、防錆効果を高めることができる。
【００３５】
また、図１０に示すように、前記防臭シート５には、前記区画壁３よりも高い前記タブ５ａを設けているので、前記防臭シート５を、前記マット本体１から取り外す場合は、前記タブ５ａを摘んで取り出すことができ、前記防臭シート５を前記基台２の形状と略同形状に形成している場合であっても、前記防臭シート５を前記マット本体１から容易に取り外すことができる。
【００３６】
加えて、前記マット本体１には前記防臭シート５を敷設しているので、飛散した尿を効果的に吸収することができると共に、尿の臭いを効果的に吸収することができると共に、前記合成樹脂シート５ｂにより、飛散された小便は直接前記マット本体１に触れることがないので、高い防錆効果を維持することができるのである。
【符号の説明】
【００３７】
１０  トイレマット
１    マット本体
２    基台
２ａ  嵌装用孔
３    区画壁
３ａ  後部区画壁
３ｂ  側部区画壁
３ｃ  平行区画壁
３ｄ  前部区画壁
４    丸孔
５    防臭シート
５ａ  活性炭シート
５ｂ  防水シート
５ｃ  タブ
Ａ    脚部
Ｂ    便器
Ｆ    足
【図１】
0003191221.tif 000003
【図２】
0003191221.tif 000004
【図３】
0003191221.tif 000005
【図４】
0003191221.tif 000006
【図５】
0003191221.tif 000007
【図６】
0003191221.tif 000008
【図７】
0003191221.tif 000009
【図８】
0003191221.tif 000010
【図９】
0003191221.tif 000011
【図１０】
0003191221.tif 000012